(57)【要約】      （修正有）【課題】カラオケ運営システムにおいて、各利用者には、自宅等で、カラオケルームに行ったような状況でカラオケを楽しませることにある。【解決手段】カラオケサーバに一の利用者がアクセスした際に、この一の利用者にグループカラオケの希望があるのかを要求し、グループカラオケの希望があった場合には、他の利用者にグループへの参加を呼びかけ、このグループへの呼びかけに応答した複数の利用者によりグループを形成するとともに、このグループの各利用者間でチャットを行わせ、このチャットで決定された前記グループ内の特定の利用者にカラオケを行わせている。【選択図】  図１
2006039412.tif 000002
【特許請求の範囲】
【請求項１】
カラオケサーバに一の利用者がアクセスした際に、この一の利用者にグループカラオケの希望があるのかを要求し、グループカラオケの希望があった場合には、他の利用者にグループへの参加を呼びかけ、このグループへの呼びかけに応答した複数の利用者によりグループを形成するとともに、このグループの各利用者間でチャットを行わせ、このチャットで決定された前記グループ内の特定の利用者にカラオケを行わせることを特徴とするカラオケ運営システム。
【請求項２】
カラオケサーバから電気通信回線を介して利用者の端末機にカラオケデータを配信するカラオケ運営システムにおいて、前記カラオケサーバは、一の利用者からのアクセスがあった際に、この一の利用者にプライベートカラオケかグループカラオケかの選択を要求し、前記プライベートカラオケが選択された場合に、前記一の利用者のリクエスト曲に対応するカラオケデータを前記一の利用者の端末機に配信し、前記グループカラオケが選択された場合には、他の利用者にグループへの参加を呼びかけ、このグループへの呼びかけに応答した複数の利用者によりグループを形成するとともに、このグループ内の各利用者の各端末機間でチャットを行わせ、このチャットにより決定された前記グループ内の特定の利用者のリクエスト曲に対応するカラオケデータをこの特定の利用者の端末機に配信し、前記特定の利用者が前記カラオケデータに合わせて歌った音楽データを前記グループ内の前記特定の利用者以外の各利用者の各端末機に配信することを特徴とするカラオケ運営システム。
【請求項３】
カラオケサーバは、システム全体をプログラムに沿って制御するシステム制御手段と、電気通信回線を介して各種データを入出力する入出力手段と、各利用者を登録する利用者登録手段と、カラオケデータを設定しているカラオケサイト手段と、カラオケデータを配信する配信制御手段と、複数の利用者をグループとして形成するグループ形成手段と、利用者が歌った後の音楽データを記憶する音楽データ記憶手段とを備えていることを特徴とする請求項１又は請求項２に記載のカラオケ運営システム。
【請求項４】
前記カラオケサーバは、前記特定の利用者が曲をリクエストする際に、前記特定の利用者からの特定のメロディラインの一部のデータから複数の候補曲のデータを検索してこの検索データを前記端末機に送信することを特徴とする請求項１又は請求項２に記載のカラオケ運営システム。
【請求項５】
前記カラオケサーバは、前記特定の利用者が曲をリクエストする際に、前記特定の利用者からの特定の歌詞の一部のデータから複数の候補曲のデータを検索してこの検索データを前記端末機に送信することを特徴とする請求項１又は請求項２に記載のカラオケ運営システム。
【請求項６】
前記カラオケサーバは、前記特定の利用者が前記カラオケデータに合わせて歌った音楽データを前記グループ内の前記特定の利用者以外の各利用者の各端末機に配信する際に、前記カラオケデータと前記特定の利用者の歌声のデータとを同期させ、前記音楽データとして前記特定の利用者の端末機から前記特定の利用者以外の各利用者の各端末機に配信することを特徴とする請求項１又は請求項２に記載のカラオケ運営システム。
【発明の詳細な説明】
【技術分野】
【０００１】
この発明は、カラオケ運営システムに係り、特に電気通信回線（インターネット等）上で複数の利用者にチャットをさせながらカラオケを楽しませることができるカラオケ運営システムに関するものである。
【背景技術】
【０００２】
近年、電気通信回線（インターネット等）の普及により、各種事業が展開され、カラオケ事業もその一つである。電気通信回線上でのカラオケサービスは、カラオケサーバから利用者の端末機に、カラオケ伴奏音楽、カラオケ画像、歌詞画像等からなるカラオケデータを配信し、このカラオケデータに対応して利用者に歌わせるものである。
【０００３】
従来、このように電気通信回線を用いたカラオケシステムには、利用者がカラオケ装置に付随するカラオケコンピュータを使用して他のカラオケコンピュータの使用者とチャットを行うとともに、リクエストした楽曲に対応付けされたチャットルームでチャットを行わせ、利用者のコミニュケーションを円滑に進めるものがある。
【特許文献１】特開２００３−５７６６号公報
【発明の開示】
【発明が解決しようとする課題】
【０００４】
ところで、従来、電気通信回線を用いたカラオケ運営システムにおいては、端末機を用いて自宅等でカラオケをする場合に、自分自身が端末機に向かって歌うだけなので、自分の歌を他の人に聞いてもらったり、その歌の評価等を得ること等ができないことから、カラオケルームにおいて多人数で楽しむような状況を作り出すことが望まれていた。
【課題を解決するための手段】
【０００５】
この発明は、カラオケサーバに一の利用者がアクセスした際に、この一の利用者にグループカラオケの希望があるのかを要求し、グループカラオケの希望があった場合には、他の利用者にグループへの参加を呼びかけ、このグループへの呼びかけに応答した複数の利用者によりグループを形成するとともに、このグループの各利用者間でチャットを行わせ、このチャットで決定された前記グループ内の特定の利用者にカラオケを行わせることを特徴とする。
【発明の効果】
【０００６】
この発明のカラオケ運営システムは、複数の利用者間でグループを形成させ、このグループ内でチャットをしながら各利用者にカラオケをさせるので、各利用者には自宅等でカラオケルームに行ったような状況でカラオケを楽しませることができる。
【発明を実施するための最良の形態】
【０００７】
この発明は、各利用者に自宅等でカラオケルームに行ったような状況でカラオケを楽しませる目的を、複数の利用者間でグループを形成させ、このグループ内でチャットさせながらカラオケをさせて実現するものである。
以下、図面に基づいてこの発明の実施例を詳細且つ具体的に説明する。
【実施例】
【０００８】
図１〜図６は、この発明の実施例を示すものである。
【０００９】
図２において、２はカラオケ運営システムである。このカラオケ運営システム２は、電気通信回線（インターネット等）４と、この電気通信回線４に接続されてカラオケデータを配信するカラオケサーバ６と、電気通信回線４に接続された複数人の利用者、例えば、５人の各端末機８−１〜８−５とを備え、各利用者にカラオケサーバ６から配信したカラオケデータに対応して歌わせて楽しませるとともに、各利用者がお互いにチャット可能なものである。前記カラオケサーバ６から各端末機８に配信されるカラオケデータは、カラオケ伴奏音楽、カラオケ画像、歌詞画像等からなるものである。
【００１０】
図３に示す如く、利用者の端末機８は、本体１０と、入力手段としてのキーボード１２、マウス１４及びマイク１６と、音を出力するスピーカー１８・１８と、表示手段としてのディスプレイ２０とを有し、電気通信回線４を介してカラオケサーバ６に接続可能となっている。キーボード１２及びマウス１４は、文字等の入力操作に用いられるものである。マイク１６は、利用者の音声を端末機８に取り込ませるものである。スピーカー２０は、本体１０からの音を出力させるものである。ディスプレイ２０は、利用者が端末機８によりカラオケサーバ６にアクセスした際に、このカラオケサーバ６からの各種データを表示したり、カラオケサーバ６から配信されたカラオケデータを表示するものである。
【００１１】
本体１０には、各出力データ及び入力データを処理するデータ処理部２２と、キーボード１２、マウス１４及びマイク１６からの利用者の各種入力されたデータをカラオケサーバ６側に出力するデータ出力部２４と、カラオケサーバ６側から配信されたカラオケデータ等の配信データを入力するデータ入力部２６とが備えられている。データ出力部２４は、データ処理部２２からのキーボード１２及びマウス１４から入力された文字等のデータ及びマイク１６からの音声データをカラオケサーバ６側に出力するものである。データ入力部２６は、カラオケサーバ６側から配信されたカラオケデータ等を入力してデータ処理部２２に送るものである。
【００１２】
カラオケサーバ６には、システム全体をプログラムに沿って制御するシステム制御手段２８と、電気通信回線４を介して各種データを入出力する入出力手段３０と、各利用者を登録する利用者登録手段３２と、カラオケデータを設定しているカラオケサイト手段３４と、カラオケデータを配信する配信制御手段３６と、複数の利用者をグループとして形成するグループ形成手段３８と、利用者が歌った後の音楽データ（楽曲データ及び音声データ）を記憶する音楽データ記憶手段４０とが設けられている。
【００１３】
また、カラオケサーバ６には、グループ内の利用者間でチャットを行わせるチャットサーバ４２が接続している。
【００１４】
このカラオケ運営システム２においては、カラオケサーバ６に一の利用者がアクセスした際に、この一の利用者にグループカラオケの希望があるのかを要求し、グループカラオケの希望があった場合には、他の利用者にグループへの参加を呼びかけ、このグループへの呼びかけに応答した複数の利用者によりグループを形成するとともに、このグループの各利用者間でチャットを行わせ、このチャットで決定された前記グループ内の特定の利用者にカラオケを行わせるものである。
【００１５】
具体的には、カラオケ運営システム２において、カラオケサーバ６から電気通信回線４を介して利用者の端末機８にカラオケデータを配信し、カラオケサーバ６は、一の利用者からのアクセスがあった際に、この一の利用者にプライベートカラオケかグループカラオケかの選択を要求し、前記プライベートカラオケが選択された場合に、前記一の利用者のリクエスト曲に対応するカラオケデータを前記一の利用者の端末機８に配信し、前記グループカラオケが選択された場合には、他の利用者にグループへの参加を呼びかけ、このグループへの呼びかけに応答した複数の利用者によりグループを形成するとともに、このグループ内の各利用者の各端末機８間でチャットを行わせ、このチャットにより決定された前記グループ内の特定の利用者のリクエスト曲に対応するカラオケデータをこの特定の利用者の端末機８に配信し、前記特定の利用者が前記カラオケデータに合わせて歌った音楽データを前記グループ内の前記特定の利用者以外の各利用者の各端末機８に配信する。この場合に、カラオケサーバ６は、前記特定の利用者が前記カラオケデータに合わせて歌った音楽データを前記グループ内の前記特定の利用者以外の各利用者の各端末機８に配信する際に、前記カラオケデータと前記特定の利用者の歌声のデータとを同期させ、前記音楽データとして前記特定の利用者の端末機８から前記特定の利用者以外の各利用者の各端末機８に配信する。
【００１６】
次に、この実施例の作用を、図１のフローチャートに基づいて説明する。
【００１７】
図１に示す如く、一の利用者が、この一の利用者の端末機８の操作により、カラオケサーバ６のカラオケサイト手段３４にアクセスすると（ステップ１０２）、端末機８のディスプレイ２０には、カラオケサイトのトップページのウインドウＡが表示される（ステップ１０４）（図４参照）。図４に示す如く、トップページのウインドウＡには、少なくとも、プライベートカラオケ選択部Ａ−１と、グループカラオケ選択部Ａ−２と、曲リストメニュー部Ａ−３とが表示される。
【００１８】
カラオケサーバ６は、この一の利用者にプライベートカラオケかグループカラオケかの選択を要求する（ステップ１０６）。
【００１９】
そして、この一の利用者が、プライベートカラオケ又はグループカラオケのいずれを選択したのかを、判断する（ステップ１０８）。
【００２０】
この一の利用者が、トップページのウインドウＡ中で、プライベートカラオケ選択部Ａ−１を選択すると、端末機８のディスプレイ２０には、プライベート練習室のウインドウＢが表示される（ステップ１１０）（図５参照）。図５に示す如く、このプライベート練習室のウインドウＢには、少なくとも、リクエスト曲に対応したキャラクタ表示部Ｂ−１と、歌詞表示部Ｂ−２と、選曲表示部Ｂ−３と、録音編集部Ｂ−４とが表示される。
【００２１】
そして、この一の利用者が、選曲表示部Ｂ−３で自分の歌いたいリクエスト曲をクリックすると（ステップ１１２）、このリクエスト曲に対応するカラオケデータがカラオケサーバ６からこの一の利用者の端末機８に配信され（ステップ１１４）、そして、この利用者がそのカラオケデータに合わせて歌うと、その歌声のデータをカラオケサーバ６が取り込む（ステップ１１６）。
【００２２】
この一の利用者の歌った音楽データは、録音編集部Ｂ−４のクリックにより音楽データ記憶手段４０に録音される（ステップ１１８）。
【００２３】
一方、その一の利用者が、トップページのウインドウＡ中で、グループカラオケ選択部Ａ−２を選択すると、端末機８のディスプレイ２０には、グループカラオケのウインドウＣが表示される（ステップ１２０）（図６参照）。図６に示す如く、このグループカラオケのウインドウＣには、少なくとも、リクエスト曲に対応したキャラクタ表示部Ｃ−１と、歌詞表示部Ｃ−２と、選曲表示部Ｃ−３と、録音編集部Ｃ−４と、チャット表示部Ｃ−５とが表示される。
【００２４】
また、このとき、カラオケサーバ６は、他の利用者の各端末機８にグループへの参加を呼びかける（ステップ１２２）。
【００２５】
そして、カラオケサーバ６は、このグループへの参加を呼びかけに、他の利用者の各端末機８から応答があったか否かを判断する（ステップ１２４）。
【００２６】
このカラオケサーバ６のグループへの参加の呼びかけに対し、誰も応答しなかった場合（無）には、グループが不成立とする（ステップ１２６）。この場合、この一の利用者は、他のグループに参加して、カラオケを楽しむことも可能である。
【００２７】
このカラオケサーバ６の呼びかけに対し、他の利用者が各人の端末機８によりグループへの参加に応答した場合（有）には、グループが成立したとする（ステップ１２８）。
【００２８】
そして、カラオケサーバ６は、これら利用者によりグループを形成するとともに（ステップ１３０）、このグループ内の各利用者の各端末機８間でチャット表示部Ｃ−５においてチャットを行わせる（ステップ１３２）。このチャットは、各利用者の各端末機８の操作により、チャット表示部Ｃ−５に表示される文字等により行われる。
【００２９】
その後、このグループ中の各利用者がチャットにより、これらの利用者中の歌う特定の利用者としての特定人を決定し（ステップ１３４）、そして、この特定人が、自分の端末機８により歌いたい曲をリクエストすると（ステップ１３６）、カラオケサーバ６は、このリクエスト曲に対応するカラオケデータを、この特定人の端末機８に配信する（ステップ１３８）。
【００３０】
この特定人が前記カラオケデータに合わせて歌うと、カラオケサーバ６は、この歌声を取り込み（ステップ１４０）、そして、この歌った音楽データは、グループ中のこの特定の利用者以外の各利用者の各端末機８に配信される（ステップ１４２）。この場合に、カラオケサーバ６は、前記特定の利用者が前記カラオケデータに合わせて歌った音楽データを前記グループ内の前記特定の利用者以外の各利用者の各端末機８に配信する際に、前記カラオケデータと前記特定の利用者の歌声のデータとを同期させ、前記音楽データとして前記特定の利用者の端末機８から前記特定の利用者以外の各利用者の各端末機８に配信する。これにより、この特定の利用者以外の各利用者は、各端末機８で、前記カラオケデータと前記特定の利用者の歌声のデータとがずれることなく、その特定の利用者の歌を聴くことができる。
【００３１】
この特定の利用者の歌った音楽データは、録音編集部Ｃ−４のクリックにより音楽データ記憶手段４０に録音される（ステップ１４４）。
【００３２】
この結果、カラオケ運営システム２において、カラオケサーバ６に一の利用者がアクセスした際に、この一の利用者にグループカラオケの希望があるのかを要求し、グループカラオケの希望があった場合には、他の利用者にグループへの参加を呼びかけ、このグループへの呼びかけに応答した複数の利用者によりグループを形成するとともに、このグループの各利用者間でチャットを行わせ、このチャットで決定された前記グループ内の特定の利用者にカラオケを行わせる。
【００３３】
具体的には、、カラオケ運営システム２において、カラオケサーバ６は、一の利用者からのアクセスがあった際に、この一の利用者にプライベートカラオケかグループカラオケかの選択を要求し、前記プライベートカラオケが選択された場合に、前記一の利用者のリクエスト曲に対応するカラオケデータを前記一の利用者の端末機８に配信し、前記グループカラオケが選択された場合には、他の利用者にグループへの参加を呼びかけ、このグループへの呼びかけに応答した複数の利用者によりグループを形成するとともに、このグループ内の各利用者の各端末機８間でチャットを行わせ、前記グループ内の特定の利用者のリクエスト曲に対応するカラオケデータをこの特定の利用者の端末機８に配信し、前記特定の利用者が前記カラオケデータに合わせて歌った音楽データを前記グループ内の前記特定の利用者以外の各利用者の各端末機８に配信することから、各利用者には自宅等でカラオケルームに行ったような状況でカラオケを楽しませることができる。
【００３４】
また、グループ内の各利用者の各端末機８間でチャットを行わせることにより、歌の評価等をお互いに得ることができ、カラオケを楽しくさせることができる。
【００３５】
更に、カラオケサーバ６は、前記特定の利用者が前記カラオケデータに合わせて歌った音楽データを前記グループ内の前記特定の利用者以外の各利用者の各端末機８に配信する際に、前記カラオケデータと前記特定の利用者の歌声のデータとを同期させ、前記音楽データとして前記特定の利用者の端末機８から前記特定の利用者以外の各利用者の各端末機８に配信することから、この特定の利用者以外の各利用者は、各端末機８で、前記カラオケデータと前記特定の利用者の歌声のデータとがずれることなく、その特定の利用者の歌を聴くことができる。
【００３６】
図７、図８は、この発明の変形例を示すものである。
【００３７】
この変形例において、図７に示す如く、カラオケサーバ６には、特定のメロディラインの一部として、歌いたい特定人がリクエスト曲の歌い出し部分又はそのリクエスト曲のさび部分等の特定部分を、鼻歌で歌ったり、メロディやテンポを口ずさむことにより、そのデータによりその特定人の特性に合わせて複数の候補曲を検索する曲目検索手段４４を追加した。
【００３８】
この曲目検索手段４４は、グループ中の各利用者がチャットにより、歌う特定人を決定し（図１のステップ１３４）、そして、この特定人が、自分の端末機８により歌いたい曲をリクエストする際に（図１のステップ１３６）、マイク１６により、利用者の端末機８から送信されたメロディラインの一部のデータとしての、そのリクエスト曲の歌い出し部分又はそのリクエスト曲のさび部分等の特定部分を、鼻歌で歌ったり、メロディやテンポを口ずさむことにより、複数の候補曲のデータを検索するものである。この曲目検索手段４４で検索された候補曲の検索データは、端末機８に送信されてこの端末機８のディスプレイ２０に表示される。そして、前記端末機８で特定人は、この候補曲のデータから歌いたいリクエスト曲のデータを選定する。
【００３９】
即ち、図８に示す如く、カラオケサーバ６において、利用者の端末機８から送信されたメロディラインの一部のデータを取り込むと（ステップ２０２）、このメロディラインのデータに似ている複数の候補曲のデータを検索し（ステップ２０４）、そして、この複数の候補曲の検索データを利用者の端末機８のディスプレイ２０に表示する（ステップ２０６）。
【００４０】
そして、歌う予定の特定人に、候補曲の一つを聴くことを要求し（ステップ２０８）、その曲が自分で歌いたい曲であるか否かを決定させる（ステップ２１０）。
【００４１】
その特定人が曲を決定し、ステップ２１０がＹＥＳの場合には、図１のフローチャートに戻る（ステップ２１２）。一方、その特定人が曲を決定せず、ステップ２１０がＮＯの場合には、前記ステップ２０６に戻す。
【００４２】
これにより、カラオケを歌いたい特定人がリクエスト曲を選定する際に、曲名がはっきり分からない場合でも、鼻歌で歌ったり、メロディやテンポを口ずさむことにより、容易にカラオケのリクエスト曲を選定させることができ、簡便である。また、その特定人の特性に合わせて複数の候補曲を検索することから、鼻歌等で音程が多少ずれた場合でも、容易にカラオケのリクエスト曲を選定させることができる。
【００４３】
また、この変形例においては、利用者の端末機８から送信されたメロディラインのデータを取り込んで、カラオケのリクエスト曲を選定させたが、利用者の端末機８から送信された特定の歌詞の一部のデータを取り込むことにより、カラオケのリクエスト曲を選定させ、メロディラインのデータを取り込んだ場合と同様な効果を奏することができる。
【００４４】
なお、この発明においては、複数の利用者で形成されたグループをカラオケサーバに記憶させ、次回に同じグループの利用者でチャットやカラオケを楽しませたり、あるいは、新たな利用者を既存のグループに参加させることも可能である。また、複数の利用者で、デュエットを行なわせることも可能である。
【産業上の利用可能性】
【００４５】
複数の利用者間でグループを形成させ、このグループ内でチャットをさせながら各利用者にカラオケをさせことを、他の通信手段にも適用させることが可能である。
【図面の簡単な説明】
【００４６】
【図１】チャット及びカラオケを行わせるフローチャートである。
【図２】カラオケ運営システムの構成図である。
【図３】端末機の概略構成図である。
【図４】トップページのウインドウである。
【図５】プライベート練習室のウインドウである。
【図６】グループチャットのウインドウである。
【図７】変形例においてカラオケ運営システムの構成図である。
【図８】変形例においてメロディ検索のフローチャートである。
【符号の説明】
【００４７】
２  カラオケ運営システム
４  電気通信回線
６  カラオケサーバ
８  端末機
１０  本体
２０  ディスプレイ
２８  システム制御手段
３０  入出力手段
３２  利用者登録手段
３４  カラオケサイト手段
３６  配信制御手段
３８  グループ形成手段
４０  音楽データ記憶手段
４２  チャットサーバ
【図１】
2006039412.tif 000003
【図２】
2006039412.tif 000004
【図３】
2006039412.tif 000005
【図４】
2006039412.tif 000006
【図５】
2006039412.tif 000007
【図６】
2006039412.tif 000008
【図７】
2006039412.tif 000009
【図８】
2006039412.tif 000010